(57)【要約】【課題】  複数の記録媒体に記録先を切り替えて継続して記録する機能を備えた装置において、適切な付加対象に付加情報を対応付けて記録することができない場合があった。【解決手段】  撮像手段と、付加情報を取得する取得手段と、動画の生成終了が指示された場合、前記取得されている付加情報を前記動画と共に、複数の記録媒体のいずれかに記録するよう制御する制御手段とを有し、前記制御手段は、前記動画の生成中に第一の記録媒体の空き容量が所定量以下になった場合、前記動画の記録先を第二の記録媒体に切り替えて、前記動画の記録を継続するよう制御する連続記録モードを有し、前記連続記録モード中、前記動画の記録先が前記第二の記録媒体に切り替えられた後に前記付加情報を取得した場合、前記制御手段は、前記付加情報の取得に応じて前記付加情報を前記第一の記録媒体に記録するよう制御することを特徴とする撮像装置。【選択図】  図４
2017050801.tif 000002
【特許請求の範囲】
【請求項１】
被写体の撮像により動画を生成する撮像手段と、
前記動画に関連付けるための付加情報を取得する取得手段と、
前記動画の生成終了が指示された場合、前記取得手段により取得されている付加情報を前記動画と共に、第一の記録媒体および第二の記録媒体を含む複数の記録媒体のいずれかに記録するよう制御する制御手段とを有し、
前記制御手段は、前記動画の生成中に前記第一の記録媒体の空き容量が所定量以下になった場合、前記動画の記録先を前記第二の記録媒体に切り替えて、前記動画の記録を継続するよう制御する連続記録モードを有し、
前記連続記録モードにおいて、前記動画の記録先が前記第二の記録媒体に切り替えられた後に前記取得手段が前記付加情報を取得した場合、前記制御手段は、動画の生成終了が指示されることを待つことなく、前記付加情報の取得に応じて前記付加情報を前記第一の記録媒体に記録するよう制御することを特徴とする撮像装置。
【請求項２】
前記連続記録モードにおいて、前記動画の記録先が前記第一の記録媒体から前記第二の記録媒体に切り替えられる場合、前記制御手段は、前記取得手段により取得済みの付加情報を前記第二の記録媒体に記録するよう制御することを特徴とする請求項１に記載の撮像装置。
【請求項３】
前記連続記録モードにおいて、前記動画の記録先が前記第二の記録媒体に切り替えられた後に動画の生成終了が指示された場合、前記取得手段により取得済みの付加情報を前記第二の記録媒体に記録するよう制御することを特徴とする請求項１または２に記載の撮像装置。
【請求項４】
前記取得手段により付加情報を取得済みの状態でさらに付加情報を取得した場合、前記取得済みの付加情報を無効にすることを特徴とする請求項１乃至３のいずれか１項に記載の撮像装置。
【請求項５】
前記取得手段は、外部装置から前記付加情報を取得し、
前記外部装置に、前記動画の生成中であるか否かを把握させるための情報を前記外部装置に送信することを特徴とする請求項１乃至４のいずれか１項に記載の撮像装置。
【請求項６】
前記連続記録モードにおいて、前記動画の記録先が前記第一の記録媒体から前記第二の記録媒体に切り替えられる場合、前記制御手段は、前記取得手段により取得済みであり、かつ前記動画に対応付けて記録していない付加情報を前記第一の記録媒体に記録するよう制御することを特徴とする請求項１乃至５のいずれか１項に記載の撮像装置。
【請求項７】
前記連続記録モードにおいて、前記動画の記録先が前記第二の記録媒体に切り替えられる前に前記取得手段が前記付加情報を取得した場合、前記制御手段は、動画の生成終了が指示されるまで、前記取得した付加情報を前記第一の記録媒体に記録するよう制御しないことを特徴とする請求項１乃至６のいずれか１項に記載の撮像装置。
【請求項８】
前記連続記録モードにおいて、前記動画の記録先が前記第二の記録媒体に切り替えられる前に動画の生成終了が指示された場合、該生成終了の指示を受け付けたタイミングで前記取得手段により取得済みの付加情報を前記第一の記録媒体に記録するよう制御することを特徴とする請求項１乃至７のいずれか１項に記載の撮像装置。
【請求項９】
記録媒体の取外しを検出する手段をさらに有し、
前記連続記録モードにおいて、前記動画の記録先が前記第二の記録媒体に切り替えられた後に前記第一の記録媒体が取り外された場合、前記制御手段は、前記取得手段が前記付加情報を取得しても、取得に応じた付加情報の記録を行わないよう制御することを特徴とする請求項１乃至８のいずれか１項に記載の撮像装置。
【請求項１０】
前記制御手段がデータを読み出すためにアクセスできるメモリをさらに有し、
前記メモリは、前記取得手段により取得された付加情報を一時的に保持し、
前記メモリは、前記撮像手段により生成される動画を一時的に保持し、
前記連続記録モードにおいて、前記動画の記録先が前記第二の記録媒体に切り替えられた後は、前記制御手段は、前記メモリからの前記付加情報の読み出しよりも、前記メモリからの前記動画の読み出しを優先して実行するよう制御することを特徴とする請求項１乃至９のいずれか１項に記載の撮像装置。
【請求項１１】
前記メモリは付加情報を記録媒体ごとに区別して保持することを特徴とする請求項１０に記載の撮像装置。
【請求項１２】
被写体の撮像により動画を生成する撮像ステップと、
前記動画に関連付けるための付加情報を取得する取得ステップと、
前記動画の生成終了が指示された場合、前記取得ステップで取得されている付加情報を前記動画と共に、第一の記録媒体および第二の記録媒体を含む複数の記録媒体のいずれかに記録するよう制御する制御ステップとを有し、
前記制御ステップでは、前記動画の生成中に前記第一の記録媒体の空き容量が所定量以下になった場合、前記動画の記録先を前記第二の記録媒体に切り替えて、前記動画の記録を継続するよう制御し、
前記動画の記録先が前記第二の記録媒体に切り替えられた後に前記取得ステップで前記付加情報を取得した場合、前記制御ステップでは、動画の生成終了が指示されることを待つことなく、前記付加情報の取得に応じて前記付加情報を前記第一の記録媒体に記録するよう制御することを特徴とする撮像装置の制御方法。
【請求項１３】
コンピュータを、請求項１乃至１１のいずれか１項に記載の撮像装置の各手段として機能させるための、コンピュータが読み取り可能なプログラム。
【発明の詳細な説明】
【技術分野】
【０００１】
本発明は複数の記録媒体を装着可能な撮像装置に関する。
【背景技術】
【０００２】
近年、小型軽量なメモリカードに撮影した画像を記録するデジタルスチルカメラやデジタルビデオカメラなどの撮像装置が普及している。このような撮像装置は多機能化されており撮像した画像だけでなく撮像した画像に関連付けるための様々な付加情報を記録することもできるようになっている。例えば、特許文献１では、撮像装置で生成される画像データに付加するための情報を、撮像装置と無線で通信できる外部機器で生成、編集することが開示されている。特許文献１のシステムを利用すれば、例えばカメラマンにより撮像された映像に対し、撮像内容のメモを残しておく担当者（いわゆるスクリプター）が外部機器から映像に直接メモを付加することが可能となる。
【先行技術文献】
【特許文献】
【０００３】
【特許文献１】特開２００３−１８８９５０号公報
【発明の概要】
【発明が解決しようとする課題】
【０００４】
上述したような撮像装置の中には、複数のメモリーカードを挿入することができるものも存在する。このような装置では、一つ目のメモリーカードに連続してデータを記録している際に空き容量が所定量以下になった場合、自動的に二つ目のメモリーカードに記録先を切り替えてデータの記録を継続する、いわゆるリレー記録機能を搭載しているものもある。このような機能を備えた装置の場合、次のような不都合がある。特許文献１では入力したメモは映像の記録が完了した時点で映像と対応付けて記録される。しかしながら、リレー記録機能によって、二つ目のメモリーカードへの記録中に、一つ目のメモリーカードが取り外されてしまった場合、一つ目のメモリーカードに記録していた部分に対応するメモは、対応付けるべきデータが存在しなくなってしまう。特許文献１では、この点についてなんら考慮されていない。
【０００５】
そこで、本発明では、複数の記録媒体に記録先を切り替えて継続して記録する機能を備えた装置において、適切な付加対象に付加情報を対応付けて記録することを目的とする。
【課題を解決するための手段】
【０００６】
上記目的を達成するために、本発明の撮像装置は、被写体の撮像により動画を生成する撮像手段と、前記動画に関連付けるための付加情報を取得する取得手段と、前記動画の生成終了が指示された場合、前記取得手段により取得されている付加情報を前記動画と共に、第一の記録媒体および第二の記録媒体を含む複数の記録媒体のいずれかに記録するよう制御する制御手段とを有し、前記制御手段は、前記動画の生成中に前記第一の記録媒体の空き容量が所定量以下になった場合、前記動画の記録先を前記第二の記録媒体に切り替えて、前記動画の記録を継続するよう制御する連続記録モードを有し、前記連続記録モード中、前記動画の記録先が前記第二の記録媒体に切り替えられた後に前記取得手段が前記付加情報を取得した場合、前記制御手段は、動画の生成終了が指示されることを待つことなく、前記付加情報の取得に応じて前記付加情報を前記第一の記録媒体に記録するよう制御することを特徴とする。
【発明の効果】
【０００７】
本発明によれば、複数の記録媒体に記録先を切り替えて継続して記録する機能を備えた装置において、適切な付加対象に付加情報を対応付けて記録することができる。
【図面の簡単な説明】
【０００８】
【図１】第１の実施形態におけるデジタルビデオカメラ１００のブロック図である。
【図２】第１の実施形態における携帯端末２００のブロック図である。
【図３】第１の実施形態におけるデジタルビデオカメラ１００の動作を示すフローチャートである。
【図４】第１の実施形態におけるデジタルビデオカメラ１００の記録中付加情報更新処理のフローチャートである。
【図５】第１の実施形態における携帯端末２００の動作を示すフローチャートである。
【図６】第１の実施形態におけるデジタルビデオカメラ１００に表示される画面の一例を示す図である。
【図７】第１の実施形態における携帯端末２００に表示される画面の一例を示す図である。
【図８】第２の実施形態におけるデジタルビデオカメラ１００の記録中付加情報更新処理のフローチャートである。
【図９】第２の実施形態における携帯端末２００の動作を示すフローチャートである。
【発明を実施するための形態】
【０００９】
以下に、本発明を実施するための形態について、添付の図面を用いて詳細に説明する。
【００１０】
なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１１】
［第１の実施形態］
＜各装置の構成＞
図１に第１の実施形態の撮像装置の構成の一例を示す。なお、ここでは撮像装置の一例としてデジタルビデオカメラ１００について述べるが、撮像装置はこれに限られない。例えば撮像装置はコンパクトデジタルカメラや、一眼レフカメラ、また、携帯型のカメラ付きメディアプレーヤや、いわゆるカメラ付きタブレットデバイス、カメラ付きパーソナルコンピュータなどであってもよい。
【００１２】
図１において、制御部１０は、デジタルビデオカメラ１００のシステム全般を制御するシステム制御部である。制御部１０はＲＯＭ１７に記録されたプログラムをＲＡＭ１８に展開して実行することで、各構成部を制御し、後述のフローチャートを実行する。
【００１３】
ＲＯＭ１７は、不揮発性の記録媒体であり、制御部１０が実行するプログラムを記憶している。
【００１４】
ＲＡＭ１８は制御部１０のワークメモリとして用いられる揮発性の記録媒体である。また、ＲＡＭ１８は画像処理部１３により画像処理された画像データや後述する着脱可能記録媒体１（２０）または着脱可能記録媒体２（５１）から読み出した画像データに対して、画像圧縮／伸長部１１で圧縮処理または伸長処理を施すために用いられる。また、表示部１５で表示するために一時格納するＶＲＡＭとしても用いられる。さらに、撮像した画像と共に関連付けて記録する付加情報を一時格納するＲＡＭとしても用いられる。付加情報は無線通信部１４より携帯端末２００から受信することができる。
【００１５】
デジタルビデオカメラ１００には、画像データを記録するための記録媒体を複数装着できる。本実施形態では、二つの記録媒体を装着できる場合を例に挙げて説明する。デジタルビデオカメラ１００着脱可能記録媒体Ｉ／Ｆ１（１９）と着脱可能記録媒体Ｉ／Ｆ２（５０）の２つのインタフェースを有する。着脱可能記録媒体Ｉ／Ｆ１（１９）と着脱可能記録媒体Ｉ／Ｆ２（５０）はメモリカード等の着脱可能な記録媒体を挿入可能なスロットになっている。図１においては、着脱可能記録媒体Ｉ／Ｆ１（１９）と着脱可能記録媒体Ｉ／Ｆ２（５０）それぞれに着脱可能記録媒体１（２０）と着脱可能記録媒体２（５１）が装着されている例を図示している。デジタルビデオカメラ１００では、着脱可能な記録媒体に画像データを記録する構成で説明したが着脱が不可能でデジタルビデオカメラ１００に内蔵されたメモリに画像データを記録する構成も考えられる。
【００１６】
また、着脱可能記録媒体Ｉ／Ｆ１（１９）には着脱可能記録媒体検出部４０が接続されており、着脱可能記録媒体Ｉ／Ｆ（１９）に対する着脱可能記録媒体１（２０）の装着状態を検出する。着脱可能記録媒体検出部４０は、例えば着脱可能記録媒体１（２０）が物理的にメカニカルスイッチを押すことにより、メカニカルスイッチのＯＮ／ＯＦＦ状態を電気信号として検出する方法が考えられる。また、着脱可能記録媒体１（２０）から出ている接続信号線の電気的状態を検出する方法も考えられる。同様に、着脱可能記録媒体Ｉ／Ｆ２（５０）には着脱可能記録媒体検出部４１が接続されており、着脱可能記録媒体Ｉ／Ｆ（５０）に対する着脱可能記録媒体２（５１）の装着状態を検出する。
【００１７】
画像処理部１３は、撮像部１２で撮像された画像データに、所定の画素補間、リサイズ処理や色変換処理を行う。また、画像処理部１３では撮像された画像データを用いて所定の演算処理が行われ、制御部１０は得られた演算結果に基づいて撮像部１２による撮像に関する各種制御（露光制御、オートホワイトバランス制御など）を行う。
【００１８】
画像圧縮／伸長部１１は画像処理部１３で画像処理された画像データを圧縮する処理や着脱可能記録媒体２０から読み出した画像データに対する伸長処理を行う。
【００１９】
撮像部１２は、撮影レンズ（ズームレンズとフォーカスレンズ含む）と撮像素子を有し、制御部１０の制御に基づき被写体を撮像し、静止画や動画像データといった画像データを取得する。
【００２０】
表示部１５は、制御部１０の制御に基づき、各種設定状態や、撮像部１２で撮像されている画像、着脱可能記録媒体から読み出して再生した画像などを表示するためのディスプレイである。覗き込み形のファインダー内のディスプレイや、バリアングルの液晶モニタなどとして構成される。
【００２１】
操作部１６はデジタルビデオカメラ１００に電源を供給するための電源スイッチや、撮影開始ボタン、カメラモード（撮影モード）や再生モードに切り替え可能なモード切替ボタンなどを含む、ユーザからの操作を受け付ける操作部である。なお操作部１６にタッチパネルが含まれる場合、制御部１０はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。
【００２２】
これらの操作や、タッチパネル上に指やペンが触れている位置座標は制御部１０に通知され、制御部１０は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。
【００２３】
またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。
【００２４】
また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００２５】
無線通信部１４は、制御部１０の制御に基づき、外部カメラやパーソナルコンピュータといった外部機器とデータの送受信を無線通信により行う。データはデジタルビデオカメラ１００の設定情報や操作情報などを送信し、デジタルビデオカメラ１００を操作するコマンドや画像データと共に記録する付加情報などを受信する。送受信可能なデータにはデジタル画像データやアナログ映像信号を含む。
【００２６】
本実施形態では、デジタルビデオカメラ１００は、記録媒体１（２０）に記録中に記録媒体の空き容量が所定量以下となった場合に、記録先を記録媒体２（５１）に変更してクリップ（動画）の記録を継続する機能を有する。以下、この機能を実行するモードをリレー記録モードまたは連続記録モードと呼ぶ。リレー記録機能は、例えばメニューから有効にする設定を行うことができる。操作部１６に含まれるメニューボタンによって図６に示すようなメニュー６００が開かれ、操作部１６に含まれる十字ボタンによって選択カーソル６０１を操作しメニューの中からＲｅｌａｙ  ＲｅｃモードＯＮを選択する。あるいは、操作部１６に含まれるＲｅｌａｙ  Ｒｅｃモードのオン／オフを行うボタンによって行われることも考えられる。本実施形態では、記録媒体１（２０）から記録媒体２（５１）へ切り替える場合のＲｅｌａｙ  Ｒｅｃについて述べているが、記録媒体２から記録媒体１へ切り替えるＲｅｌａｙ  Ｒｅｃも考えられる。その場合は、本実施形態の記録媒体１と記録媒体２を入れ替えることにより実現できる。
【００２７】
以上がデジタルビデオカメラ１００の構成の説明である。
【００２８】
続いて、携帯端末２００について説明する。携帯端末２００としては、例えばいわゆるタブレットデバイス、やスマートフォン、ＰＤＡなどを採用することができる。
【００２９】
図２において、制御部２１は、携帯端末２００のシステム全般を制御するシステム制御部である。制御部２１はＲＯＭ２５に記録されたプログラムをＲＡＭ２６に展開して実行することで、各構成部を制御し、後述のフローチャートを実行する。
【００３０】
ＲＯＭ２５は、不揮発性の記録媒体であり、制御部２１が実行するプログラムを記憶している。ＲＡＭ２６は制御部２１のワークメモリとして用いられる揮発性の記録媒体である。
【００３１】
表示部２２は、制御部１０の制御に基づき、各種設定状態や、無線通信部２４より受信したデータ（デジタル画像データやアナログ映像信号を含む）などを表示するためのディスプレイである。
【００３２】
操作部２３は携帯端末２００に電源を供給するための電源スイッチなど、ユーザからの操作を受け付ける操作部である。なお操作部２３は操作部１６と同様にタッチパネルを含む。
【００３３】
無線通信部２４は、制御部２１の制御に基づき、外部カメラやパーソナルコンピュータといった外部機器とデータの送受信を無線通信により行う。データはデジタルビデオカメラ１００の設定情報や操作情報などを受信し、デジタルビデオカメラ１００を操作するコマンドや画像データと共に記録する付加情報などを送信する。送受信可能なデータにはデジタル画像データやアナログ映像信号を含む。
【００３４】
また、本実施形態では携帯端末２００は無線による接続形態を例としているが、当然ながら無線以外の形態でも実施することは可能である。例えば、有線接続形態やデジタルビデオカメラ１００との一体型形態が考えられる。
【００３５】
以上が携帯端末２００の構成の説明である。本実施形態では、上記のデジタルビデオカメラ１００と携帯端末２００とが協働して、入力システムを構成する。以下、入力システムにおける各装置の動作について説明する。
【００３６】
＜各装置の動作＞
図３に、デジタルビデオカメラ１００の動作のフローチャートを示す。このフローチャートの処理は、デジタルビデオカメラ１００を構成する制御部１０がＲＯＭ１７に格納されたプログラムをＲＡＭ１８に展開して実行することにより実現される。
【００３７】
また、このフローチャートの処理は、デジタルビデオカメラ１００と携帯端末２００とが無線通信を確立している状態、かつ、記録媒体１（２０）から記録媒体２（５１）へのＲｅｌａｙ  Ｒｅｃモードがオンに設定されている状態で開始される。なお、説明を簡単にするために、以下で説明する連続記録モードにおいては、先に記録媒体１に記録を開始し、容量がいっぱいになったら記録媒体２に切り替えて記録する場合を例に挙げて説明する。また、このフローチャートの処理は、ユーザの操作部１６に対する操作によってデジタルビデオカメラ１００がカメラモード（撮影モード）に設定されたことに応じて開始される。なお、このフローチャートの開始に並行してライブビューのための撮像処理も実行される。
【００３８】
まず、Ｓ３００にて制御部１０は、デジタルビデオカメラ１００の設定状態により携帯端末２００に送信するための制御情報を生成する。制御情報は携帯端末２００の表示状態等を変更するための情報である。例えば、本実施形態では動画の生成中および記録中であるか否かという情報である。また、例えば携帯端末２００側の操作部材を有効化したり無効化したりするための情報も含まれる。
【００３９】
次に、Ｓ３０１で制御部１０は、Ｓ３００で生成した制御情報を無線通信部１４を介して携帯端末２００に送信する。
【００４０】
Ｓ３０２で制御部１０は、無線通信部１４を介して携帯端末２００からデジタルビデオカメラ１００を動作させるコマンドおよび付加情報（携帯端末にて生成されるデータ。付加情報の生成のフローについては後述する）を受信する。
【００４１】
Ｓ３０３で制御部１０は、記録中であるか否かを判定する。記録中であると判定される場合としては、例えば記録開始した後、記録停止していない場合が考えられる。記録中であると判定された場合Ｓ３０４に進み、記録中でないと判定された場合Ｓ３０５に進む。
【００４２】
Ｓ３０４で制御部１０は、記録中の付加情報更新処理を実行する。この処理は、図４を用いて後述する。
【００４３】
一方、Ｓ３０５では、制御部１０は、Ｓ３０２で受信したコマンドが、直前に記録したクリップに関連付けられている付加情報を書きかえるためのコマンド（以下、Ｒｅｗｒｉｔｅ  Ｐｒｅｖコマンドと呼ぶ）であるか否かの判定をする。受信したコマンドがＲｅｗｒｉｔｅ  Ｐｒｅｖコマンドであると判定された場合Ｓ３０６に進み、受信したコマンドがＲｅｗｒｉｔｅ  Ｐｒｅｖコマンドでないと判定された場合はＳ３１０に進む。
【００４４】
Ｓ３０６では制御部１０は、ＲＡＭ１８に保持されている付加情報を、Ｓ３０２で受信した付加情報に変更する。
【００４５】
Ｓ３０７では制御部１０は、直前に撮影したクリップに関連付けられている付加情報を再記録する。直前に撮影したクリップとそれに関連付けられた付加情報は着脱可能記録媒体１（２０）または着脱可能記録媒体２（５１）に記録されている。本ステップでは、ＲＡＭ１８に保持されている付加情報を、直前に記録したクリップに関連付けて着脱可能記録媒体１（２０）または着脱可能記録媒体２（５１）に記録する。これにより直前に撮影したクリップに関連付けられる付加情報が上書きされる。
【００４６】
一方、Ｓ３１０で制御部１０は、Ｓ３０２で受信したコマンドが、これから撮影しようとしているクリップに関連付けて記録する付加情報を保持させるためのコマンド（以下、Ｎｅｘｔ  Ｃｌｉｐコマンドと呼ぶ）であるか否かの判定をする。受信したコマンドがＮｅｘｔ  Ｃｌｉｐコマンドであると判定された場合Ｓ３１１に進み、受信したコマンドがＮｅｘｔ  Ｃｌｉｐコマンドでないと判定された場合Ｓ３０８に進む。
【００４７】
Ｓ３１１では制御部１０は、ＲＡＭ１８に保持されている付加情報をＳ３０２で受信した付加情報に変更する。
【００４８】
Ｓ３０８で制御部１０は、動画像データの記録を開始したか否かの判定をする。記録を開始したと判定するのは例えば以下の場合である。すなわち、操作部１６に含まれる撮影開始ボタンによって動画像データの記録開始が指示された場合や、Ｓ３０２で動画像データの記録を開始するコマンドを受信して動画像データの記録開始が指示された場合である。記録を開始したと判定するとＳ３０９に進み、開始していないと判定するとＳ３００に戻り処理を繰り返す。
【００４９】
Ｓ３０９で制御部１０は、新しく記録を開始したクリップに関連付けてＲＡＭ１８に保持されている付加情報を着脱可能記録媒体１（２０）に記録する。
【００５０】
次に、図３のＳ３０４における記録中付加情報更新処理について説明する。
【００５１】
図４は、記録中付加情報更新処理の詳細を示すフローチャートである。
【００５２】
まず、Ｓ４００で制御部１０は、受信した付加情報を現在記録している動画像に関連付ける付加情報として適用するコマンド（以下、Ａｐｐｌｙ  Ｃｌｉｐコマンドと呼ぶ）を受信したかどうかを判定する。Ａｐｐｌｙ  Ｃｌｉｐコマンドを受信したと判定した場合はＳ４０１に進み、受信していないと判定した場合はＳ４１１に進む。Ｓ４０１ではＲＡＭ１８に保持されている付加情報をＳ３０２で受信した付加情報に変更する。さらに、ＲＡＭ１８に保持されている更新フラグをセットする。この更新フラグがセットされている場合は、新たに受信して、まだ動画像に関連付けられていない付加情報がＲＡＭ１８に記録されていることを示す。
【００５３】
Ｓ４０２で制御部１０は、記録先が記録媒体１（２０）か否かの判定をする。記録先が記録媒体１（２０）と判定するとＳ４０３に進み、記録媒体２（５１）と判定するとＳ４０７に進む。
【００５４】
Ｓ４０３で制御部１０は、記録媒体１（２０）の空き容量が所定量以下か否かの判定をする。記録媒体１（２０）の空き容量が所定量以下と判定するとＳ４０４に進み、そうでないと判定するとＳ４１１に進む。
【００５５】
Ｓ４０４で制御部１０は、記録先を記録媒体２（５１）に変更して、クリップを記録媒体２（５１）に継続して記録する。さらに並行して、記録を開始したクリップに関連付けてＲＡＭ１８に保持されている付加情報を着脱可能記録媒体２（５１）に記録する。
【００５６】
続けてＳ４０５で制御部１０は、更新フラグがセットされているか否かの判定をする。更新フラグがセットされていると判定するとＳ４０６に進む。
【００５７】
Ｓ４０６で制御部１０は、記録中のクリップに関連付けられた付加情報として、ＲＡＭ１８に保持されている付加情報を着脱可能記録媒体１（２０）に再記録する。さらに並行して、ＲＡＭ１８に保持されている更新フラグをクリアする。
【００５８】
Ｓ４０７で制御部１０は、記録媒体１取外しフラグがセットされているか否かの判定をする。記録媒体１取外しフラグがセットされていると判定するとＳ４１１に進み、そうでないと判定するとＳ４０８に進む。ここでいう記録媒体１取外しフラグは、後述のＳ４０８にて記録媒体１（２０）が装着されていないと判断された結果、Ｓ４０９で付加される情報である。すなわち、記録媒体１取外しフラグがセットされていることは、記録媒体１（２０）が装着されていないことを示す。なお、ここでセットされた取外しフラグは、動画の記録が終了したことに応じて解除される。言い換えれば、一旦取外しフラグがセットされたならば、動画の記録中に再度記録媒体が装着されても、取外しフラグがセットされた状態を維持する。なぜなら、装着された記録媒体が同じ記録媒体１であるとは限らないし、同じ記録媒体１であっても、その中のデータが同じであるとは限らないためである。つまり、付加情報を対応付けて記録すべき動画データが記録されているとは限らないためである。
【００５９】
Ｓ４０８で制御部１０は、記録媒体１（２０）が装着されているか否かを判定する。記録媒体１が装着されていると判定するとＳ４０９に進み、そうでないと判定するとＳ４１０に進む。
【００６０】
Ｓ４０９で制御部１０は、記録中のクリップに関連付けられた付加情報として、ＲＡＭ１８に保持されている付加情報を着脱可能記録媒体１（２０）に再記録する。
【００６１】
Ｓ４１０では制御部１０は、記録媒体１取外しフラグをセットする。
【００６２】
ここで、制御部１０は、記録媒体２（５１）への画像の記録を並行して実行している。例えば、複数の処理（ここではタスクと呼ぶ）を並列で実行しており、図３のフローチャートを実行しているタスク、画像を記録するタスク等が存在している。
【００６３】
しかしながら、ＲＡＭ１８から付加情報を読み出している間も、並行して記録中の映像データが圧縮処理を施されてＲＡＭ１８に記録されていく。この記録された映像データは、順次読み出されて記録媒体に出力されるが、ＲＡＭ１８から付加情報を読み出している間は、さらにＲＡＭ１８に対してリードアクセスすることはできない。そのため、映像データの読み出しが滞り、ＲＡＭ１８の映像データのバッファ領域があふれ、映像の記録が停止してしまう虞がある。
【００６４】
そこで、記録媒体１（２０）への付加情報の記録を実行している最中に記録媒体２（５１）への画像の記録が発生した場合は、記録媒体１（２０）への付加情報の記録を一時的に停止するよう制御するようにしてもよい。例えば、記録媒体１へ付加情報を記録するタスクを画像を記録するタスクが完了するまで待機状態にする。
【００６５】
一方、Ｓ４０５にて、更新フラグがセットされていないと判定された場合、Ｓ４０６を経ることなく、Ｓ４１１に進む。このように、ＲＡＭ１８に保持されている付加情報が更新されていない場合は、記録媒体１（２０）への記録を行わないことにより、記録先の変更時に発生する制御装置の処理負荷を低減することができる。
【００６６】
Ｓ４１１で制御部１０は、記録を停止したか否かを判定する。記録を停止したと判定するのは例えば以下の場合が考えられる。すなわち、操作部１６に含まれる撮影停止ボタンによって動画像データの記録停止（生成終了）が指示された場合、Ｓ３０２で記録を停止するコマンドを受信して動画像データの記録停止（生成終了）が指示された場合である。記録を停止したと判定するとＳ４１２に進み、停止していないと判定すると処理を終了して、元のフローチャートのＳ３００に戻り処理を繰り返す。
【００６７】
Ｓ４１２で制御部１０は、記録先が記録媒体１（２０）か否かの判定をする。記録先が記録媒体１（２０）と判定するとＳ４１３に進み、記録媒体２（５１）と判定するとＳ４１４に進む。
【００６８】
Ｓ４１３では制御部１０は、ＲＡＭ１８に保持されている、携帯端末２００から取得済みの付加情報を、クリップに関連付けられた付加情報として記録媒体１（２０）に再記録する。同様にＳ４１４では、制御部１０は、ＲＡＭ１８に保持されている、携帯端末２００から取得済みの付加情報を、クリップに関連付けられた付加情報として記録媒体２（５１）に再記録する。
【００６９】
以上がデジタルビデオカメラ１００の動作の説明である。続いて、上記動作に対応する携帯端末２００の動作について説明する。
【００７０】
図５に、携帯端末２００の動作のフローチャートを示す。このフローチャートにおける各処理は、携帯端末２００を構成する制御部２１がＲＯＭ２５に格納されたプログラムをＲＡＭ２６に展開して実行することにより実現される。ユーザの操作部２３に対する操作によって携帯端末２００が外部機器制御モードに設定されると図５の処理を開始する。また、この処理の開始に並行して、携帯端末２００の表示部２２には、図７のような画面が表示され、ユーザからの付加情報の入力を受け付ける。図５の各処理の説明の前に、図７の画面について説明する。
【００７１】
図７において、付加情報編集画面７００はデジタルビデオカメラ１００で撮影したクリップに関連付けて記録する付加情報の編集を行いデジタルビデオカメラ１００へデータを送信する操作を行う画面である。ユーザは操作部２３に含まれる十字キーを操作して各項目の編集を行う。クリップタイトルフィールド７０１はクリップのタイトルを入力するフィールドである。撮影者フィールド７０２はクリップを撮影した撮影者を入力するフィールドである。撮影場所フィールド７０３はクリップの撮影場所を入力するフィールドである。撮影内容フィールド７０４はクリップの撮影内容を入力するフィールドである。
【００７２】
Ａｐｐｌｙ  Ｃｌｉｐボタン７０５はクリップの記録中に表示されるボタンである。このボタンは、フィールドに入力した付加情報をクリップに関連付けて記録するために、デジタルビデオカメラ１００にＡｐｐｌｙ  Ｃｌｉｐコマンドと付加情報を無線通信部２４を介して送信する指示を入力するためのボタンである。
【００７３】
図７には不図示だが、記録中でない場合はＲｅｗｒｉｔｅ  ＰｒｅｖボタンとＮｅｘｔ  Ｃｌｉｐボタンが表示される。これらのボタンは、それぞれＲｅｗｒｉｔｅ  ＣｌｉｐコマンドとＮｅｘｔ  Ｃｌｉｐコマンドをデジタルビデオカメラ１００に付加情報と共に無線通信部２４を介して送信するボタンである。図５の説明に戻る。
【００７４】
まず、Ｓ５００で制御部２１は、デジタルビデオカメラ１００から無線通信部２４を介してデジタルビデオカメラ１００の制御情報を受信する。この制御情報は、図３のＳ３０１にてデジタルビデオカメラ１００から送信されたものである。
【００７５】
Ｓ５０１では制御部２１は、Ｓ５００で受信した制御情報に基づき、デジタルビデオカメラ１００が記録中か否かを判定する。記録中と判定されるとＳ５０２に進み、記録中でないと判定されるとＳ５０７に進む。
【００７６】
Ｓ５０２では制御部２１は、付加情報編集画面７００に現在デジタルビデオカメラ１００で記録中のクリップに関連付けて記録する付加情報のデータとコマンドを送信するＡｐｐｌｙ  Ｃｌｉｐボタン（７０５）を表示する。ここでは、Ｒｅｗｒｉｔｅ  ＰｒｅｖボタンとＮｅｘｔ  Ｃｌｉｐボタンは表示されない。
【００７７】
Ｓ５０３では制御部２１は、図７で示すクリップタイトルのフィールド７０１、撮影者のフィールド７０２、撮影場所のフィールド７０３、撮影内容のフィールド７０４のいずれかのフィールドへの入力があったか否かを判定する。いずれかのフィールドへの入力があったと判定した場合にはＳ５０４に進み、フィールドへの入力がなかった場合にはＳ５０５に進む。
【００７８】
Ｓ５０４では制御部２１は、図７で示す付加情報編集画面の更新を行う。Ｓ５０５では、Ａｐｐｌｙ  Ｃｌｉｐボタン（７０５）がユーザにより押されたか否かを判定する。Ａｐｐｌｙ  Ｃｌｉｐボタンが押されたと判定するとＳ５０６に進み、押されていないと判定するとＳ５１９に進む。
【００７９】
Ｓ５０６では制御部２１は、デジタルビデオカメラ１００に送信するＡｐｐｌｙ  Ｃｌｉｐコマンドと付加情報を生成する。
【００８０】
一方、Ｓ５０７では制御部２１は、付加情報編集画面７００にＲｅｗｒｉｔｅ  Ｐｒｅｖボタン（不図示）とＮｅｘｔ  Ｃｌｉｐボタン（不図示）を表示する。ここでは、現在記録中ではなく付加対象が存在していないため、Ａｐｐｌｙ  Ｃｌｉｐボタン（７０５）は表示されない。
【００８１】
Ｓ５０８では制御部２１は、Ｓ５０３と同様に図７で示すいずれかのフィールドに入力があったか否かの判定をする。いずれかのフィールドへの入力があったと判定した場合にはＳ５０９に進み、フィールドへの入力がなかった場合にはＳ５１０に進む。
【００８２】
Ｓ５０９では制御部２１は、図７で示す付加情報編集画面の更新を行う。Ｓ５１０では、Ｒｅｗｒｉｔｅ  Ｐｒｅｖボタンが押下されたか否かの判定をする。ユーザによりＲｅｗｒｉｔｅ  Ｐｒｅｖボタンが押されたと判定した場合にはＳ５１１に進み、押されていないと判定した場合にはＳ５１２に進む。
【００８３】
Ｓ５１１では制御部２１は、デジタルビデオカメラ１００に送信するＲｅｗｒｉｔｅ  Ｐｒｅｖコマンドと付加情報を生成する。付加情報は、Ｓ５０８で受け付けたフィールドへの入力に基づき生成される。例えば、各フィールドに入力された文字列を含むテキストデータなどが生成される。
【００８４】
一方、Ｓ５１２では制御部２１は、Ｎｅｘｔ  Ｃｌｉｐボタンが押下されたか否かの判定をする。Ｎｅｘｔ  Ｃｌｉｐボタン７０６が押されたと判定した場合にはＳ５１３に進み、押されていないと判定した場合にはＳ５１４に進む。
【００８５】
Ｓ５１３では制御部２１は、デジタルビデオカメラ１００に送信するＮｅｘｔ  Ｃｌｉｐコマンドと付加情報を生成する。
【００８６】
Ｓ５１４では制御部２１は、デジタルビデオカメラ１００に送信するコマンドおよびデータが生成されたか否かを判定する。ここでコマンドおよびデータが生成されたと判定するのはＳ５０６、Ｓ５１１、Ｓ５１３を処理した場合である。送信するコマンドおよびデータが生成されたと判定するとＳ５１５に進み、生成されていないと判定するとＳ５００に戻り処理を繰り返す。
【００８７】
Ｓ５１５では制御部２１は、生成されたコマンドおよび付加情報を無線通信部２４を介してデジタルビデオカメラ１００に送信する。ここで送信されたコマンドおよび付加情報は、図３のＳ３０２にてデジタルビデオカメラ１００によって受信される。
【００８８】
以上が、本実施形態にける携帯端末２００の動作の説明である。
【００８９】
以上のように、本実施形態によれば、記録媒体１（２０）から記録媒体２（５１）へと連続して記録している際に、付加情報の変更が行われたタイミングで記録媒体１（２０）へ付加情報を記録する。これにより、記録停止される前に記録媒体１（２０）が取り外されたとしても、それまでに変更された付加情報を記録することができる。
【００９０】
このとき、記録媒体１（２０）への付加情報の記録中に、記録媒体２（５１）への画像の記録が同時に発生した場合は、記録媒体２（５１）への記録を優先することにより、画像の記録が間に合わずに記録が停止することを防ぐことができる。
【００９１】
また、記録媒体１（２０）が交換されているか否かを判定することにより、交換された記録媒体１（２０）に誤って付加情報を記録してしまうことを防ぐことができる。
【００９２】
［第２の実施形態］
次に、第２の実施形態について説明する。本実施形態は、第１の実施形態と共通する部分が多いため、本実施形態特有の部分を中心に説明する。
【００９３】
本実施形態では、図３のＳ３０４における記録中付加情報更新処理を、図４ではなく図８のフローチャートに示す動作によって実現する場合を例に挙げて説明する。
【００９４】
図８において、Ｓ８００で制御部１０は、Ａｐｐｌｙ  Ｃｌｉｐコマンドを受信したかどうかを判定する。Ａｐｐｌｙ  Ｃｌｉｐコマンドを受信したと判定した場合はＳ８０１に進み、受信していないと判定した場合はＳ８０８に進む。
【００９５】
Ｓ８０１では制御部１０は、ＲＡＭ１８に保持されている付加情報１と付加情報２をＳ３０２で受信した付加情報に変更する。同時に、ＲＡＭ１８に保持されている更新フラグをセットする。ここで、付加情報１と付加情報２はＲＡＭ１８上に互いに区別して保持されている付加情報であり、それぞれ、記録媒体１に記録されるクリップに付加するための付加情報、記録媒体２に記録されるクリップに付加するための付加情報である。
【００９６】
Ｓ８０２では、制御部１０は、記録先が記録媒体１（２０）か否かの判定をする。記録先が記録媒体１（２０）と判定された場合、Ｓ８０３に進み、記録媒体２（５１）と判定された場合、Ｓ８０７に進む。
【００９７】
Ｓ８０３では、制御部１０は、記録媒体１（２０）の空き容量が所定量以下か否かの判定をする。記録媒体１（２０）の空き容量が所定量以下と判定された場合、Ｓ８０４に進み、そうでないと判定された場合、Ｓ８１０に進む。
【００９８】
Ｓ８０４では、制御部１０は、記録先を記録媒体２（５１）に変更して、クリップを記録媒体２（５１）に継続して記録する。さらに、記録を開始したクリップに関連付けてＲＡＭ１８に保持されている付加情報２を着脱可能記録媒体２（５１）に記録する。
【００９９】
続いてＳ８０５では、制御部１０は、更新フラグがセットされているか否かの判定をする。更新フラグがセットされていると判定された場合、Ｓ８０６に進み、そうでないと判定された場合、Ｓ８１０に進む。
【０１００】
Ｓ８０６では、制御部１０は、記録中のクリップに関連付けられた付加情報として、ＲＡＭ１８に保持されている付加情報１を着脱可能記録媒体１（２０）に再記録する。並行して、ＲＡＭ１８に保持されている更新フラグをクリアする。
【０１０１】
Ｓ８０７では制御部１０は、記録中のクリップに関連付けられた付加情報として、ＲＡＭ１８に保持されている付加情報１を着脱可能記録媒体１（２０）に再記録する。本実施形態では省略しているが、第１の実施形態と同様に、記録媒体１（２０）が交換されているか否かの検出を行ってもよい。すなわち、図４のＳ４０７やＳ４０８、Ｓ４１０の処理を行うようにしてもよい。
【０１０２】
Ｓ８０８では、制御部１０は、記録媒体２の付加情報のみを変更する（以下ではＡｐｐｌｙ  ＲｅｃＭｅｄｉａコマンドと呼ぶ）コマンドを受信したかどうかを判定する。Ａｐｐｌｙ  ＲｅｃＭｅｄｉａコマンドを受信したと判定した場合はＳ８０９に進み、受信していないと判定した場合はＳ８１０に進む。この記録媒体２の付加情報のみを変更したい場合としては、例えばリレー記録された何番目の動画かをコメントとして入力する場合などが考えられる。
【０１０３】
Ｓ８０９では制御部１０は、ＲＡＭ１８に保持されている付加情報２をＳ３０２で受信した付加情報に変更する。
【０１０４】
Ｓ８１０〜Ｓ８１３では、図４のＳ４１１〜Ｓ４１４と同様の処理が実行される。
【０１０５】
以上が本実施形態における記録中付加情報更新処理の説明である。次に、本実施形態における携帯端末２００の動作について説明する。
【０１０６】
図９は、携帯端末２００での全体的な処理手順を示した本実施形態でのフローチャートである。
【０１０７】
Ｓ９００では制御部２１は、デジタルビデオカメラ１００から無線通信部２４を介してデジタルビデオカメラ１００の制御情報を受信する。
【０１０８】
Ｓ９０１では制御部２１は、Ｓ９００で受信した制御情報からデジタルビデオカメラ１００が記録中か否かを判定する。記録中と判定されるとＳ９０２に進み、記録中でないと判定されるとＳ９１１に進む。
【０１０９】
Ｓ９０２では制御部２１は、Ｓ９００で受信した制御情報からデジタルビデオカメラ１００の記録先が記録媒体１か否かを判定する。記録媒体１と判定されるとＳ９０３に進み、そうでないと判定されるとＳ９０４に進む。
【０１１０】
Ｓ９０３では制御部２１は、付加情報編集画面７００に現在デジタルビデオカメラ１００で記録中のクリップに関連付けて記録する付加情報のデータとコマンドを送信するＡｐｐｌｙ  Ｃｌｉｐボタン（７０５）を表示する。ここでは、Ａｐｐｌｙ  ＲｅｃＭｅｄｉａボタンを表示しない。なお、Ａｐｐｌｙ  ＲｅｃＭｅｄｉａボタンを選択不可状態として表示してもよい。このようにした場合、ユーザはＡｐｐｌｙ  ＲｅｃＭｅｄｉａボタンによる処理の存在を把握でき、かつ、その処理が現在は実行できないことを把握できる。
【０１１１】
一方、Ｓ９０４では制御部２１は、前記Ａｐｐｌｙ  Ｃｌｉｐボタン（７０５）と記録媒体２にのみ付加情報を記録するコマンドを送信するＡｐｐｌｙ  ＲｅｃＭｅｄｉａボタン（不図示）を表示する。
【０１１２】
Ｓ９０５〜Ｓ９０６では、図５のＳ５０３〜Ｓ５０４と同様の処理が実行される。
【０１１３】
続くＳ９０７では、制御部２１は、Ａｐｐｌｙ  Ｃｌｉｐボタン（７０５）がユーザにより押されたか否かを判定する。Ａｐｐｌｙ  Ｃｌｉｐボタンが押されたと判定された場合、Ｓ９０８に進み、押されていないと判定された場合、Ｓ９０９に進む。
【０１１４】
Ｓ９０８では、制御部２１は、デジタルビデオカメラ１００に送信するＡｐｐｌｙ  Ｃｌｉｐコマンドと付加情報を生成する。
【０１１５】
一方、Ｓ９０９では制御部２１は、Ａｐｐｌｙ  ＲｅｃＭｅｄｉａボタンがユーザにより押されたか否かを判定する。Ａｐｐｌｙ  ＲｅｃＭｅｄｉａボタンが押されたと判定された場合、Ｓ９１０に進み、押されていないと判定された場合、Ｓ９１８に進む。
【０１１６】
Ｓ９１０では、制御部２１は、デジタルビデオカメラ１００に送信するＡｐｐｌｙ  ＲｅｃＭｅｄｉａコマンドと付加情報を生成する。
【０１１７】
Ｓ９１１〜Ｓ９１７では、第１の実施形態のＳ５０７〜Ｓ３３と同様の処理が実行される。
【０１１８】
Ｓ９１８では、制御部２１は、デジタルビデオカメラ１００に送信するコマンドおよびデータが生成されたか否かを判定する。ここでコマンドおよびデータが生成されたと判定するのはＳ９０８、Ｓ９１０、Ｓ９１５、Ｓ９１７を処理した場合である。送信するコマンドおよびデータが生成されたと判定された場合、Ｓ９１９に進み、生成されていないと判定された場合、Ｓ９００に戻り処理を繰り返す。
【０１１９】
Ｓ９１９では制御部２１は、生成されたコマンドおよび付加情報を無線通信部２４を介してデジタルビデオカメラ１００に送信する。
【０１２０】
以上が、本実施形態における携帯端末２００の動作の説明である。
【０１２１】
以上のように、本実施形態によれば、記録先が記録媒体１（２０）から記録媒体２（５１）に変更して画像の記録を継続した場合に、記録媒体２（５１）の付加情報のみを変更することができる。
【０１２２】
また、記録先が記録媒体１から記録媒体２に変更した後にのみＡｐｐｌｙ  ＲｅｃＭｅｄｉａボタンを表示するようにした。これにより、記録媒体２（５１）に誤って付加情報を記録してしまうことを防ぐことができる。
【０１２３】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2017050801.tif 000003
【図２】
2017050801.tif 000004
【図３】
2017050801.tif 000005
【図４】
2017050801.tif 000006
【図５】
2017050801.tif 000007
【図６】
2017050801.tif 000008
【図７】
2017050801.tif 000009
【図８】
2017050801.tif 000010
【図９】
2017050801.tif 000011